(57)【特許請求の範囲】
【請求項１】
溶融めっきラインの主ポットおよび複数のサブポットを、それぞれの上面がフロアレベルになるように設置し、主ポットと複数のサブポット間のフロアにセラミックス製樋を支持した移動台車を配置し、前記セラミックス製樋は一端が主ポットの内側に位置し、他端がサブポットの内側に位置する長さとするとともに、主ポット側及びサブポット側に傾動可能であることを特徴とするめっき浴の切替設備装置。
【発明の詳細な説明】
【０００１】
【発明の属する技術分野】
本発明は、溶融めっきラインにおいて、組成の異なるめっき浴を切り替えためっき浴の切替設備に関する。
【０００２】
【従来の技術】
鋼帯を連続的に溶融めっきするラインでは、ポットに入っている溶融亜鉛等のめっき浴に鋼帯を導入してめっきを行っている。溶融めっきの種類としては、亜鉛めっきの他に亜鉛−アルミニウムめっき、鉛・アンチモン含有量が０．００５％以下の亜鉛めっきなどが行われている。溶融めっきラインでは、溶融めっきの種類を変更するときは、ポットのめっき浴を変更後のめっき浴に替える必要があるため、ポットから今まで使用していためっき液を排出し、その後変更後のめっき液を入れていた。
【０００３】
溶融めっきラインのめっき浴組成の切替方式として、例えば、特開平５−７０９１４号公報には、主めっきポットからの排出浴を受ける受浴サブポットを主めっきポットの近傍低レべル位置に配置し、また、主めっきポットに異種のめっき浴を供給するための給浴サブポットを主めっきポットの近傍高レベル位置に配置して、給浴サブポット内底部と主めっきポット内部、主めっきポット内底部と受浴サブポット内部をそれぞれ連通・遮断切替可能に連結し、各めっき浴の静圧を利用して主めっきポット内めっき浴の受浴サブポットへの排出と、給浴サブポット内めっき浴の主めっきポットへの供給とを同時的に行うことが記載されている。
【０００４】
その他、溶融めっきラインと直角方向あるいはライン方向に走行可能、あるいは走行且つ昇降可能な複数のめっきポットを設け、種類の異なるめっきを行うために、めっきポットをトラバーサによって走行させて切り替え使用するもの、あるいはめっきライン外に複数種類のめっき液を貯蔵保温するポットを設置し、ポットとライン内の主めっきポットとを加熱及び保温手段を備えた配管で接続して移送するものが提案されている。
【０００５】
【発明が解決しようとする課題】
めっきする鋼帯のサイズによりめっき浴は、大型化し亜鉛の重量だけで１００トンから２００トンになる。したがって、前記公報記載の方式では、給浴サブポット、受浴サブポットをクレーン等で上下に移動させるためには設備的に過大なものを要することになる。また、液の切り替え時に上部からの注入と下部からの排出を同時に行うことは、濃度の濃い方から薄い組成に切り替えるときは、不可能である。また、重量のある主めっきタンクを走行させる方式も前記公報記載のものと同様に設備的に過大なものを要する。さらに、加熱及び保温手段を備えた配管を利用する方式も配管のメンテナンスに時間を要するとともに、溶融金属に対する配管の耐食性等に問題がある。
【０００６】
そこで、本発明は、特別な移動装置を設ける必要がなく、また、複雑な加熱式配管を用いることなく短時間でめっき液を凝固させずにめっき浴を切り替えることが可能で、メンテナンスも容易なめっき浴の切替設備を提供するものである。
【０００７】
【課題を解決するための手段】
本発明のめっき浴の切替設備装置は、溶融めっきラインの主ポットおよび複数のサブポットを、それぞれの上面がフロアレベルになるように設置し、主ポットと複数のサブポット間のフロアにセラミックス製樋を支持した移動台車を配置し、前記セラミックス製樋は一端が主ポットの内側に位置し、他端がサブポットの内側に位置する長さとするとともに、主ポット側及びサブポット側に傾動可能であることを特徴とする。
【０００８】
【発明の実施の形態】
図１は本発明のめっき浴の切替設備の全体図であって、主ポットからサブポットへのめっき液の移送を示し、（ａ）は平面図、（ｂ）は正面図、図２はサブポットから主ポットへのめっき液の移送を示し、（ａ）は平面図、（ｂ）は正面図である。
【０００９】
図１及び図２において、溶融めっきラインの主ポット１の近くには、二つのサブポット２，３が設置されている。サブポット２，３は、本実施例では二つであるが、めっき液の種類に応じた数のサブポットを複数設置することができる。主ポット１及びサブポット２，３は、めっき液を溶融状態に維持するために加熱装置を備えている。主ポット１及びサブポット２，３の上面はおおむねフロワレベルになるように設置する。
【００１０】
主ポット１とサブポット２，３との間のフロワ４には、めっき液の流路となるセラミックス製樋５を支持した移動台車６が配置されている。セラミックス製樋５は、その両端が主ポット１と各サブポット２，３の液面上方に達する長さにする。移動台車６の移動により、セラミックス製樋５のサブポット側の端部は、サブポット２，３間を移動可能となる。
【００１１】
セラミックス製樋５は、図３の縦断面に示すように、フレーム７を縦断面Ｕ字状に形成し、内面を断熱性のあるセラミックス８で覆う。セラミックス８は亜鉛はじき性及び断熱性が良好であるので、セラミックス製樋５は加熱手段を設けなくてもめっき液を凝固させることなく移送できる。
セラミックス製樋５は、移動台車６に傾動可能に支持されている。セラミックス製樋５を傾動させる傾動手段９としては、例えば、ハンドル式ジャッキなど周知の昇降手段をセラミックス製樋５の主ポット側及びサブポット側にそれぞれ設ける。傾斜角度を約３°とすることでめっき液を一方向へ流すことができる。めっき液は、主ポット１あるいはサブポット２，３に配置したメタルポンプ１０で汲み上げてセラミックス製樋５に流す。
【００１２】
次に、図１に示すように、主ポット１から空のサブポット２へめっき液を移送し、図２に示すように、種類の異なるめっき液の入ったサブポット３からめっき液を主ポット１へ移送する方法について説明する。
【００１３】
図１に示すように、移動台車６により、セラミックス製樋５の主ポット側の端部を主ポット１に設置したメタルポンプ１０のめっき液吐出口から流下させるめっき液を受ける位置に移動させるととともに、セラミックス製樋５のサブポット側の端部を空のサブポット２内の上方に位置させる。その後、セラミックス製樋５の主ポット側を傾動手段９であるジャッキのハンドルを回して上昇させ、約３°の傾斜角度に傾動させる。
【００１４】
次いで、主ポット１に設置したメタルポンプ１０により主ポット１のめっき液を汲み上げてメタルポンプ１０のめっき液吐出口からセラミックス製樋５に流し込むと、めっき液は傾斜したセラミックス製樋５によりサブポット２側へ流れ、サブポット２内に流れ落ちる。
【００１５】
主ポット１が空になると、図２に示すように、移動台車を移動させ、セラミックス製樋５のサブポット側の端部をサブポット３に設置したメタルポンプのめっき液吐出口から流下するめっき液を受ける位置にするととともに、セラミックス製樋の主ポット側の端部を主ポット１の内側の上方に位置させた後、セラミックス製樋５のサブポット側を傾動手段で上昇させて、約３°の傾斜角度に傾動させる。
【００１６】
次いで、サブポット３に設置したメタルポンプ１０によりサブポット３のめっき液を汲み上げてメタルポンプ１０のめっき液吐出口からセラミックス製樋５に流し込むと、めっき液は傾斜したセラミックス製樋５により主ポット側へ流れ、主ポット内に流れ込む。以上の操作によりめっき液の切り替えが完了する。
【００１７】
本発明では、１個のセラミックス製樋をフロア上を移動させ、且つ傾動の方向を変えるのみで主ポットとサブポットの組成が交換可能となる。また、切り替えたい時間に応じたメタルポンプの容量とセラミックス製樋の容量を適当にすればめっき浴中の装置を取り外すことなく短期間に切り替え可能となる。
【００１８】
【発明の効果】
本発明の効果は次のとおりである。
【００１９】
（１）特殊なポットやクレーン装置を必要とせず、従来のめっきラインのポット近くにサブポットを増設すれば、簡単に且つ短期間でポット浴組成切り替えが可能となる。
【００２０】
（２）亜鉛はじき性が良好で断熱性のあるセラミックス製樋により、加熱配管を設けることなくめっき液を凝固させないで移動させることができる。構造が簡単なセラミックス製樋により接続用加熱配管等を必要としないので、メンテナンスも容易とある。
【００２１】
（３）複雑な移動装置も不要となり、安価な設備投資で切り替えが可能となる。
【図面の簡単な説明】
【図１】  本発明のめっき浴の切替設備の全体図であって、主ポットからサブポットへのめっき液の移送を示し、（ａ）は平面図、（ｂ）は正面図である。
【図２】  本発明のめっき浴の切替設備の全体図であって、サブポットから主ポットへのめっき液の移送を示し、（ａ）は平面図、（ｂ）は正面図である。
【図３】  本発明で使用するセラミックス製樋の縦断面図である。
【符号の説明】
１  主ポット
２，３  サブポット
４  フロワ
５  セラミックス製樋
６  移動台車
７  フレーム
８  セラミックス
９  傾動手段
１０  メタルポンプ
【図１】
0003760060.tif 000002
【図２】
0003760060.tif 000003
【図３】
0003760060.tif 000004